【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
一対の電極と前記一対の電極の間に配置されたセパレータとを含む二次電池前駆体を製造する工程と、前記二次電池前駆体を検査する工程とを含む二次電池の製造方法であって、
前記二次電池前駆体を検査する工程では、
前記一対の電極の間に電解液を注液する前に、前記一対の電極の間に一定の検査用電圧を印加しながら前記検査用電圧の印加に伴って流れる電流を１ｍｓ以下の間隔で測定し、
正常な二次電池前駆体に電圧を印加したときの突入電流による電流のピーク発生後から、前記一対の電極に対し電荷がチャージされて電流が一定となるまでに相当する時間に、予め設定した参照電流値を超える電流値が検出された場合に、当該前駆体を不良品と判定する二次電池の製造方法。
【請求項２】
前記参照電流値を、正常な二次電池前駆体に電圧を印加したときの電流に基づいて設定する請求項１に記載の二次電池の製造方法。
【請求項３】
前記参照電流値を時間に応じて複数設定する請求項１に記載の二次電池の製造方法。
【請求項４】
一対の電極と前記一対の電極の間に配置されたセパレータとを含む二次電池前駆体を製造する工程と、前記二次電池前駆体を検査する工程とを含む二次電池の製造方法であって、
前記二次電池前駆体を検査する工程では、
前記一対の電極の間に電解液を注液する前に、前記一対の電極の間に一定の検査用電圧を印加しながら前記検査用電圧の印加に伴って流れる電流を測定し、
予め参照電流値を１ｍｓ以下の間隔で設定して、前記測定される電流値を前記参照電流値と比較し、
正常な二次電池前駆体に電圧を印加したときの印加開始から電流が一定となるまでに相当する時間に、前記参照電流値を超える電流値が検出された場合に、当該前駆体を不良品と判定する二次電池の製造方法。
【請求項５】
一対の電極と前記一対の電極の間に配置されたセパレータとを含む二次電池前駆体を製造する工程と、前記二次電池前駆体を検査する工程とを含む二次電池の製造方法であって、
前記二次電池前駆体を検査する工程では、
前記一対の電極の間に電解液を注入する前に、前記一対の電極の間に検査用電圧を印加しながら前記検査用電圧の印加に伴って流れる電流を１ｍｓ以下の間隔で測定し、
前記電流が、正常な二次電池前駆体に電圧を印加したときの電流波形に基づいて算出される所定の許容範囲を超える値となった場合に、当該前駆体を不良品と判定する二次電池の製造方法。
【請求項６】
前記検査用電圧は定電圧である請求項５に記載の二次電池の製造方法。
【請求項７】
前記検査用電圧は一定速度で昇圧する請求項５に記載の二次電池の製造方法。
【請求項８】
一対の電極と前記一対の電極の間に配置されたセパレータとを含む二次電池前駆体を製造する工程と、前記二次電池前駆体を検査する工程とを含む二次電池の製造方法であって、
前記二次電池前駆体を検査する工程では、
前記一対の電極の間に電解液を注入する前に、前記一対の電極の間に検査用電流を印加しながら前記検査用電流の印加に伴う電圧を１ｍｓ以下の間隔で測定し、
前記電圧が、正常な二次電池前駆体に電流を印加したときの前記電圧波形に基づいて算出される所定の許容範囲を超える値となった場合に、当該前駆体を不良品と判定する二次電池の製造方法。
【請求項９】
前記検査用電流が一定電流である請求項８に記載の二次電池の製造方法。
【請求項１０】
前記検査用電圧を、セパレータの厚み１μｍあたり２０Ｖ以上７５Ｖ未満とする請求項１〜７のいずれかに記載の二次電池の製造方法。
【請求項１１】
前記検査用電圧を、セパレータの厚み１μｍあたり２０Ｖ以上３５Ｖ未満とする請求項１〜７のいずれかに記載の二次電池の製造方法。
【請求項１２】
前記検査用電圧を４２０Ｖ以上１５７５Ｖ未満とする請求項１〜７のいずれかに記載の二次電池の製造方法。
【請求項１３】
前記セパレータの厚みが２５μｍ以下である請求項１〜９のいずれかに記載の二次電池の製造方法。
【請求項１４】
前記二次電池前駆体がリチウム二次電池の前駆体である請求項１〜９のいずれかに記載の二次電池の製造方法。
【請求項１５】
一対の電極と前記一対の電極の間に配置されたセパレータとを含む二次電池前駆体を検査する検査装置であって、
前記一対の電極の間に電圧を印加する電圧印加手段と、
前記電圧の印加に伴って流れる電流を１ｍｓ以下の間隔で測定する電流測定手段と、
正常な二次電池前駆体に電圧を印加したときの電流に基づいて設定した参照電流値を記憶する記憶手段と、
前記記憶手段に記憶されている前記参照電流値と、前記電流測定手段で測定された前記電流値とを用いて所定の演算を行って前記二次電池前駆体の不良判定を行う演算手段とを含む二次電池前駆体の検査装置。
【請求項１６】
前記電流測定手段が、オシロスコープである請求項１５に記載の二次電池前駆体の検査装置。
【請求項１７】
一対の電極と、前記一対の電極の間に配置されたセパレータとを含む二次電池前駆体を検査する検査装置であって、
前記一対の電極の間に電流を印加する電流印加手段と、
前記電流の印加に伴って生じる電圧を１ｍｓ以下の間隔で測定する電圧測定手段と、
正常な二次電池前駆体に電流を印加したときの電圧に基づいて設定した参照電圧値を記憶する記憶手段と、
前記記憶手段に記憶されている前記参照電圧値と、前記電圧測定手段で測定された前記電圧値とを用いて所定の演算を行って前記二次電池前駆体の不良判定を行う演算手段とを含む二次電池前駆体の検査装置。
【請求項１８】
前記電圧測定手段が、オシロスコープである請求項１７に記載の二次電池前駆体の検査装置。
【手続補正２】
【補正対象書類名】明細書
【補正対象項目名】発明の名称
【補正方法】変更
【補正の内容】
【発明の名称】二次電池の製造方法および二次電池前駆体の検査装置
【手続補正３】
【補正対象書類名】明細書
【補正対象項目名】０００１
【補正方法】変更
【補正の内容】
【０００１】
本発明は、二次電池の製造方法および二次電池前駆体の検査装置に関する。本発明は、特にたとえば、製造された複数の二次電池前駆体から、電極間の絶縁が十分でない二次電池前駆体を検出する非破壊検査に関する。
【手続補正４】
【補正対象書類名】明細書
【補正対象項目名】０００７
【補正方法】変更
【補正の内容】
【０００７】
本発明の二次電池の製造方法は、一対の電極と前記一対の電極の間に配置されたセパレータとを含む二次電池前駆体を製造する工程と、前記二次電池前駆体を検査する工程とを含む二次電池の製造方法である。前記二次電池前駆体を検査する工程では、前記一対の電極の間に電解液を注液する前に、前記一対の電極の間に一定の検査用電圧を印加しながら前記検査用電圧の印加に伴って流れる電流を１ｍｓ以下の間隔で測定し、正常な二次電池前駆体に電圧を印加したときの突入電流による電流のピーク発生後から、前記一対の電極に対し電荷がチャージされて電流が一定となるまでに相当する時間に、予め設定した参照電流値を超える電流値が検出された場合に、当該前駆体を不良品と判定する。この製造方法では、電流が一定となるまでに検査を終了できるため、短時間でショート品および潜在的なショート品を検出できる。
【手続補正５】
【補正対象書類名】明細書
【補正対象項目名】０００８
【補正方法】変更
【補正の内容】
【０００８】
参照電流値を、正常な二次電池前駆体に電圧を印加したときの電流に基づいて設定すると、精度の高い検査を実施できる。また、参照電流値は、時間に応じて複数設定してもよい。
本発明の他の二次電池の製造方法は、前記二次電池前駆体を検査する工程で、前記一対の電極の間に電解液を注液する前に、前記一対の電極の間に一定の検査用電圧を印加しながら前記検査用電圧の印加に伴って流れる電流を測定し、予め参照電流値を１ｍｓ以下の間隔で設定して、前記測定される電流値を前記参照電流値と比較し、正常な二次電池前駆体に電圧を印加したときの印加開始から電流が一定となるまでに相当する時間に、前記参照電流値を超える電流値が検出された場合に、当該前駆体を不良品と判定する。
【手続補正６】
【補正対象書類名】明細書
【補正対象項目名】００１０
【補正方法】変更
【補正の内容】
【００１０】
本発明の更に他の二次電池の製造方法においては、正常な二次電池前駆体に電圧を印加したときの電流の経時変化（充電電流波形）から不良品を判定する。前記二次電池前駆体を検査する工程では、前記一対の電極の間に電解液を注入する前に、前記一対の電極の間に検査用電圧を印加しながら前記検査用電圧の印加に伴って流れる電流を１ｍｓ以下の間隔で測定し、前記電流が、正常な二次電池前駆体に電圧を印加したときの電流波形に基づいて算出される所定の許容範囲を超える値となった場合に、当該前駆体を不良品と判定する。この検査方法によれば、良品（正常な二次電池前駆体）に充電する際の電流の経時変化を参照しつつ、測定対象とする前駆体を充電するために供給される電流を測定する。このため、短時間で精度よくショート品および潜在的なショート品を検出できる。なお、印加する電圧は定電圧でも、一定速度で昇圧する電圧でもよい。
【手続補正７】
【補正対象書類名】明細書
【補正対象項目名】００１１
【補正方法】変更
【補正の内容】
【００１１】
本発明の更に他の二次電池の製造方法は、前記二次電池前駆体を検査する工程で、前記一対の電極の間に電解液を注入する前に、前記一対の電極の間に検査用電流を印加しながら前記検査用電流の印加に伴う電圧を１ｍｓ以下の間隔で測定し、前記電圧が、正常な二次電池前駆体に電流を印加したときの前記電圧波形に基づいて算出される所定の許容範囲を超える値となった場合に、当該前駆体を不良品と判定する。この方法でも、上記方法と同等の効果が得られる。検査用電流は、限定はないが、一定電流であってもよい。
【手続補正８】
【補正対象書類名】明細書
【補正対象項目名】００１３
【補正方法】変更
【補正の内容】
【００１３】
本発明の製造方法は、正負極間の距離が２５μｍ以下程度にまで狭くなっても適用できる。
【手続補正９】
【補正対象書類名】明細書
【補正対象項目名】００１４
【補正方法】変更
【補正の内容】
【００１４】
上記製造方法では、前記検査用電圧を、セパレータの厚み１μｍあたり２０Ｖ以上７５Ｖ未満としてもよく、セパレータの厚み１μｍあたり２０Ｖ以上３５Ｖ未満としてもよい。また、上記製造方法では、前記検査用電圧を４２０Ｖ以上１５７５Ｖ未満としてもよい。
【手続補正１０】
【補正対象書類名】明細書
【補正対象項目名】００１５
【補正方法】変更
【補正の内容】
【００１５】
上記製造方法では、前記二次電池前駆体がリチウム二次電池の前駆体であってもよい。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
また、本発明の検査装置は、一対の電極と前記一対の電極の間に配置されたセパレータとを含む二次電池前駆体を検査する検査装置であって、前記一対の電極の間に電圧を印加する電圧印加手段と、前記電圧の印加に伴って流れる電流を１ｍｓ以下の間隔で測定する電流測定手段と、正常な二次電池前駆体に電圧を印加したときの電流に基づいて設定した参照電流値を記憶する記憶手段と、前記記憶手段に記憶されている前記参照電流値と、前記電流測定手段で測定された前記電流値とを用いて所定の演算を行って前記二次電池前駆体の不良判定を行う演算手段とを含む。
【手続補正１３】
【補正対象書類名】明細書
【補正対象項目名】００１８
【補正方法】変更
【補正の内容】
【００１８】
また、本発明の他の検査装置は、一対の電極と、前記一対の電極の間に配置されたセパレータとを含む二次電池前駆体を検査する検査装置であって、前記一対の電極の間に電流を印加する電流印加手段と、前記電流の印加に伴って生じる電圧を１ｍｓ以下の間隔で測定する電圧測定手段と、正常な二次電池前駆体に電流を印加したときの電圧に基づいて設定した参照電圧値を記憶する記憶手段と、前記記憶手段に記憶されている前記参照電圧値と、前記電圧測定手段で測定された前記電圧値とを用いて所定の演算を行って前記二次電池前駆体の不良判定を行う演算手段とを含む。ここで、参照電圧値とは、１００個の正常な二次電池前駆体を測定することによって得られた１００個の電圧波形を平均化した値である。